(57)【要約】【課題】小さなサイズの枚葉紙であっても、簡素な構成で精度良く左右方向での位置を揃えて良好な印刷が行える枚葉印刷機の給紙部の搬送ガイドを提供することを課題とする。【解決手段】搬送されてきた枚葉紙２を印刷装置へ受け渡す前に枚葉紙２の左右幅方向一端側に移動させて枚葉紙２の左右幅方向での位置を揃えるための左右一対のガイド部材３，４を備え、左右一対のガイド部材３，４のうちの一方のガイド部材３は、搬送される枚葉紙の左右幅方向一端に当接して枚葉紙搬送方向終端側ほど他方のガイド部材側に位置する傾斜面と、この傾斜面の終端に上下軸芯周りで回転可能な円柱状の回転体１４とからなる位置決め部材とを備え、他方のガイド部材４は、搬送される枚葉紙２の左右方向他端に当接して回転体１４側へ弾性的に押圧するための弾性部材１５を備えさせた。【選択図】図１
2008207344.tif 000002
【特許請求の範囲】
【請求項１】
搬送されてきた枚葉紙を印刷装置へ受け渡す前に該枚葉紙の左右幅方向一端側に移動させて該枚葉紙の左右幅方向での位置を揃えるための左右一対のガイド部材を備え、該左右一対のガイド部材のうちの一方のガイド部材は、搬送される枚葉紙の左右幅方向一端に当接して枚葉紙搬送方向終端側ほど他方のガイド部材側に位置する傾斜面と、この傾斜面の終端に上下軸芯周りで回転可能な円柱状の回転体とからなる位置決め部材とを備え、他方のガイド部材は、搬送される枚葉紙の左右方向他端に当接して前記回転体側へ弾性的に押圧するための弾性部材を備えていることを特徴とする枚葉印刷機における給紙部の搬送ガイド。
【請求項２】
前記一方のガイド部材に備えさせた傾斜面の上下端に、前記他方のガイド部材側へ延出され、枚葉紙の上下方向の位置規制を行う上下規制部を備え、前記上側規制部の左右幅寸法を前記下側規制部の左右幅寸法よりも小さく設定してなる請求項１記載の枚葉印刷機における給紙部の搬送ガイド。
【請求項３】
前記一方のガイド部材に備えさせた傾斜面の上下端に、前記他方のガイド部材側へ延出され、枚葉紙の上下方向の位置規制を行う上下規制部を備え、前記上下規制部のうちの少なくとも下側規制部が、前記回転体の下方位置まで延出され、前記下側規制部の上面に形成される下側規制面に対して前記回転体の下端面が下方に位置するように該下側規制部及び該回転体を備えさせ、前記回転体の上方位置まで延出された前記上側規制部の下面に形成される上側規制面に対して該回転体の上端面が上方に位置するように該上側規制部及び該回転体を備えさせたことを特徴とする請求項１記載の枚葉印刷機における給紙部の搬送ガイド。
【請求項４】
前記上側規制部の枚葉紙搬送方向始端部を前記下側規制部の枚葉紙搬送方向始端よりも枚葉紙搬送方向始端側へ延出し、その延出部に枚葉紙搬送方向始端側ほど上方に位置する傾斜面を備え、前記下側規制部の枚葉紙搬送方向始端部に、それの始端側ほど下方に位置する傾斜面を備えさせてなる請求項２又は３記載の枚葉印刷機における給紙部の搬送ガイド。
【請求項５】
前記左右一対のガイド部材を給紙部に着脱自在に備え、前記取付けられた左右一対のガイド部材間に位置して該ガイド部材にて案内される枚葉紙に上方から接触して該枚葉紙に搬送力を付与するための補助搬送手段を着脱自在に備えてなる請求項１〜４のいずれかに記載の枚葉印刷機における給紙部の搬送ガイド。
【発明の詳細な説明】
【技術分野】
【０００１】
本発明は、搬送されてきた枚葉紙を印刷装置へ受け渡す前に該枚葉紙の左右方向一端側に移動させて該枚葉紙の左右幅方向での位置を揃えるために備えられる枚葉印刷機における給紙部の搬送ガイドに関する。
【背景技術】
【０００２】
上記のように、搬送されてきた枚葉紙を印刷装置へ受け渡す前に枚葉紙の左右方向一端側に移動させて枚葉紙の左右幅方向での位置を揃えることが行われている。そして、このような構成としては、所謂、横針装置と呼ばれるものが既に提案されている。これは、駆動機構により駆動回転される下部ローラと、この下部ローラの上面に搬送されてきた用紙を上方から挟み込む横送りローラと、横送りローラと下部ローラとにより横送りされた用紙を受け止める左右方向ストッパーとを備え、前記横送りローラは、用紙の搬送方向の軸芯周りで揺動自在に取付けられた主リンクから延出されたアームの先端に取付けられ、主リンクをカムにより揺動させることにより、下部ローラの上方に位置させて用紙の搬送に抵抗とならない待機位置と、用紙が所定位置まで搬送されて下部ローラ上に位置している用紙を上方から挟み込むべく下部ローラ側へ接近させた横送り位置とに横送りローラを位置変更自在に構成している。従って、横送りローラを横送り位置に位置させた状態において、下部ローラを駆動回転させることにより、左右方向ストッパーに当接するまで用紙を左右一端側へ移動させて、左右方向の位置を揃えることができるようにしている（例えば、特許文献１参照）。
【特許文献１】実開平２−６５５５１号公報（図１及び図２参照）
【発明の開示】
【発明が解決しようとする課題】
【０００３】
前記特許文献１では、主リンクを揺動操作するためのカムを必要とするだけでなく、下部ローラを駆動回転するための駆動装置も必要となり、構成が複雑で大型化する不都合があった。
又、前記のように駆動装置などを設ける関係上、横針装置の左右方向の取付位置も制限され、実際には、左右方向一端に設けられることになるため、封筒や葉書等の小さなサイズの枚葉紙の場合に、左右方向中央にゴムベルトが配置される搬送装置では、このゴムベルトが支障となり、横送りローラの中央への移動が制限される結果、小さなサイズの枚葉紙の左右方向での位置合わせを行うことができないものであった。
因みに、封筒や葉書等の小さなサイズの枚葉紙を左右方向一端に搬送することができる搬送装置を特別に設けた場合でも、ローラとのスリップや左右ストッパーに当たったときの反動等に起因して確実に左右方向ストッパーに隙間の無い状態で枚葉紙を位置させることが難しい。このため、特に小さなサイズの枚葉紙においてはその位置ズレが大きなサイズに比べて非常に大きくなり、精度良く位置合わせすることができない不都合もあった。特に封筒の場合には、折り畳んで構成されるものであるため、同一の封筒であっても製作段階において多少の寸法誤差を含んでいるため、特に位置合わせ精度を必要とするものである。
【０００４】
本発明が前述の状況に鑑み、解決しようとするところは、小さなサイズの枚葉紙であっても、簡素な構成で精度良く左右方向での位置を揃えて良好な印刷が行える枚葉印刷機の給紙部の搬送ガイドを提供することを課題とする。
【課題を解決するための手段】
【０００５】
本発明の枚葉印刷機の給紙部の搬送ガイドは、搬送されてきた枚葉紙を印刷装置へ受け渡す前に、該枚葉紙をその左右幅方向一端側に移動させて該枚葉紙の左右幅方向での位置を揃えるための左右一対のガイド部材を備え、該左右一対のガイド部材のうちの一方のガイド部材は、搬送される枚葉紙の左右幅方向一端に当接して枚葉紙搬送方向終端側ほど他方のガイド部材側に位置する傾斜面と、この傾斜面の終端に上下軸芯周りで回転可能な円柱状の回転体とからなる位置決め部材とを備え、他方のガイド部材は、搬送される枚葉紙の左右方向他端に当接して前記回転体側へ弾性的に押圧するための弾性部材を備えていることを特徴としている。
左右一対のガイド部材まで搬送されてきた枚葉紙は、他方のガイド部材に備えた弾性部材にて一方のガイド部材側に弾性的に押圧され、該一方のガイド部材に備えた円柱状の回転体に押し付けられ、回転体を枚葉紙の移動に伴って回転させながら左右方向の位置決めを行うことができる。つまり、位置決め時において回転体が回転することによって回転体との接触抵抗を可及的に小さくしながらも、回転体の側面が円柱状であるから、該側面の上下方向のどの部位に当たっても、左右方向同一位置にて位置決めを行うことができる。しかも、一方のガイド部材に、枚葉紙搬送方向終端側ほど他方のガイド部材側に位置する傾斜面を備えさせているから、搬送される枚葉紙が左右方向で多少位置ズレしている場合でも、傾斜面に当たることで枚葉紙の左右方向での位置を修正することができる。
【０００６】
前記一方のガイド部材に備えさせた傾斜面の上下端に、前記他方のガイド部材側へ延出され、枚葉紙の上下方向の位置規制を行う上下規制部を備え、前記上側規制部の左右幅寸法を前記下側規制部の左右幅寸法よりも小さく設定してもよい。
【０００７】
前記一方のガイド部材に備えさせた傾斜面の上下端に、前記他方のガイド部材側へ延出され、枚葉紙の上下方向の位置規制を行う上下規制部を備え、前記上下規制部のうちの少なくとも下側規制部が、前記回転体の下方位置まで延出され、前記下側規制部の上面に形成される下側規制面に対して前記回転体の下端面が下方に位置するように該下側規制部及び該回転体を備えさせ、前記回転体の上方位置まで延出された前記上側規制部の下面に形成される上側規制面に対して該回転体の上端面が上方に位置するように該上側規制部及び該回転体を備えさせてもよい。
【０００８】
前記上側規制部の枚葉紙搬送方向始端部を前記下側規制部の枚葉紙搬送方向始端よりも枚葉紙搬送方向始端側へ延出し、その延出部に枚葉紙搬送方向始端側ほど上方に位置する傾斜面を備え、前記下側規制部の枚葉紙搬送方向始端部に、それの始端側ほど下方に位置する傾斜面を備えさせてもよい。
【０００９】
前記左右一対のガイド部材を給紙部に着脱自在に備え、前記取付けられた左右一対のガイド部材間に位置して該ガイド部材にて案内される枚葉紙に上方から接触して該枚葉紙に搬送力を付与するための補助搬送手段を着脱自在に備えてもよい。
【発明の効果】
【００１０】
特別な駆動機構等を不要にした左右一対のガイド部材にて枚葉紙の左右方向での位置決めを行う簡素な構成でありながらも、接触抵抗を可及的に抑えた構成であるから、封筒や葉書等の小さなサイズの枚葉紙であっても、精度良く枚葉紙の左右方向での位置を確実に揃えることができ、良好な印刷が行える枚葉印刷機における給紙部の搬送ガイドを提供することができる。又、回転体を円柱状にすることによって、球状体の場合に上下の当たる位置によって左右方向での位置が変わるようなことがなく、左右方向同一位置で常に当てることができ、枚葉紙の姿勢に左右されることなく、左右の位置決めを精度良く確実に行うことができる。
【００１１】
前記一方のガイド部材に備えさせた傾斜面の上下端に、前記他方のガイド部材側へ延出され、枚葉紙の上下方向の位置規制を行う上下規制部を備えさせることによって、例えば枚葉紙の姿勢が上下方向に変更しようとしても、それを上下規制部にて規制することができるから、回転体にて左右位置決めが行えないといったトラブル発生がなく、信頼性の高いものにすることができる。しかも、前記上側規制部の左右幅寸法を前記下側規制部の左右幅寸法よりも小さく設定することによって、下側規制部の下方に枚葉紙の左右方向一端が潜り込むようなことを回避することができるだけでなく、左右一対のガイド部材に対する枚葉紙の左右両端の位置を上方から容易に確認し易く、位置合わせを容易に行うことができる。
【００１２】
前記上下規制部のうちの少なくとも下側規制部が、前記回転体の下方位置まで延出され、前記下側規制部の上面に形成される下側規制面に対して前記回転体の下端面が下方に位置するように該下側規制部及び該回転体を備えさせることによって、下側規制部の上面と回転体の下端面との間に枚葉紙の左右方向一端が入り込むことを抑制することができ、トラブル発生の少ないものにすることができる。又、前記回転体の上方位置まで延出された前記上側規制部の下面に形成される上側規制面に対して該回転体の上端面が上方に位置するように該上側規制部及び該回転体を備えさせることによって、上側規制部の下面と回転体の上端面との間に枚葉紙の左右方向一端が入り込むことを抑制することができ、トラブル発生の少ないものにすることができる。
【００１３】
前記上側規制部の枚葉紙搬送方向始端部を前記下側規制部の枚葉紙搬送方向始端よりも枚葉紙搬送方向始端側へ延出し、その延出部に枚葉紙搬送方向始端側ほど上方に位置する傾斜面を備えさせることによって、例えば上方へ反りあがる、又は傾斜することにより上方に位置した枚葉紙の左右方向一端を延出部の傾斜面にて徐々に下方へ案内しながら姿勢をスムーズに変更することができ、上側規制部のみを枚葉紙搬送方向始端側へ延出することで下側規制部が枚葉紙搬送方向において長くなることを抑制することができる。又、前記下側規制部の枚葉紙搬送方向始端部に、それの始端側ほど下方に位置する傾斜面を備えさせることによって、下方に垂れ下がる又は傾斜することにより水平よりも下方に位置している枚葉紙の左右方向一端を、下側規制部の枚葉紙搬送方向始端部に備えさせた傾斜面にて上方へ案内しながら姿勢をスムーズに変更することができる。
【００１４】
前記左右一対のガイド部材を給紙部に着脱自在に備え、前記取付けられた左右一対のガイド部材間に位置して該ガイド部材にて案内される枚葉紙に上方から接触して該枚葉紙に搬送力を付与するための補助搬送手段を着脱自在に備えている場合には、左右一対のガイド部材を必要に応じて取付けたり、取り外すことができる。しかも、補助搬送装置を取付けることによって、枚葉紙を左右のガイド部材間へ確実に搬送することができる。
【発明を実施するための最良の形態】
【００１５】
図１及び図２に示すように、フィーダーボードＦ，Ｆの左右中央部に配置されたゴムベルト１により枚葉紙２が横向きで左右方向中央部にて搬送され、その搬送されてきた枚葉紙２を枚葉印刷機の印刷装置（図示せず）に受け渡す直前に、該枚葉紙２の左右方向での位置を揃えるための左右一対のガイド部材３，４が備えられている。前記ガイド部材３，４は、給紙装置の搬送方向（図１の矢印方向）終端側に備えられている。又、図１及び図２の枚葉紙２は、縦寸法（長さ寸法）が１４〜２３．５ｃｍで横寸法（左右幅寸法）が９〜１２ｃｍの封筒や葉書等の枚葉紙の左右の位置決めを行う場合に有利であるが、枚葉紙のサイズはこれらのサイズ以外であってもよい。ここでは、短辺方向が搬送方向となる横向きにて搬送することによって、後述する多数の前当て５にて受止められるようにしたが、長辺方向が搬送方向となる縦向きにて搬送してもよい。又、搬送装置を構成する前記ゴムベルト１をフィーダーボードＦ，Ｆの左右中央部に配置したものを示しているが、左右方向一端のみにゴムベルトを設ける、又は両端にのみゴムベルトを設ける、あるいは左右方向に間隔をおいて複数のゴムベルトを設けて実施してもよい。
【００１６】
図１では、給紙装置の終端に左右方向に間隔をおいて設けられた多数の前当て５と、前記ゴムベルト１の搬送終端との間に、前記左右一対のガイド部材３，４を着脱自在に取り付け、それら左右一対のガイド部材３，４間に位置して該ガイド部材３，４にて案内される枚葉紙２に上方から接触して該枚葉紙２に搬送力を付与するための補助搬送手段６を着脱自在に備えている。前記補助搬送手段６は、枚葉紙２の搬送方向に間隔をおいて配置した前後一対の駆動回転体７，８を左右に振り分けて合計４個の駆動回転体７，８、７，８にてガイド部材３，４間に案内される枚葉紙２に上方から搬送力を付与することができるようにしている。前記駆動回転体７，８、７，８への駆動は、図示していない駆動機構を用いて前記ゴムベルト１の駆動力が伝達されることで行われるようになっている。前記左右一対のガイド部材３，４及び補助搬送手段６は、着脱自在に設けた方が、構成の簡素化を図る上で好ましいが、左右一対のガイド部材３，４及び補助搬送手段６を使用しない退避位置と使用する使用位置とに位置変更自在に支持する支持装置を設けて実施することもできる。尚、前記補助搬送手段６は場合によっては使用姿勢に常設しておいてもよいし、省略することもできる。
【００１７】
図２では、枚葉紙２を受ける部材を分かり易く図示するために、前記駆動回転体７，８、７，８を省略した図を示している。つまり、前記多数の前当て５，５の付近に、該特定の前当て５，５の背面に当て付けられた枚葉紙２の前側所定領域を載置支持するための口板９を配置し、この口板９とゴムベルト１の搬送方向終端との間に枚葉紙２を載置支持する載置部を備え、この載置部は、左右方向中央に位置するプレート１０と、このプレート１０の左右方向両端のそれぞれから前記ガイド部材３，４までの間にＵの字状に折り曲げられ、間隔をおいて配置された多数の板材１１とからなっている。
【００１８】
前記前当て５は、図３に示すように、その下端が回転自在な前当て軸１２に固定されており、前記前当て軸１２を回転させることによって、図に示す枚葉紙２を受け止める位置から退避する位置、つまり矢印方向へ揺動できるようになっている。尚、図示していないが、グリッパにて前当て５に受止められている枚葉紙２を摘んで給紙胴に受け渡す際に前記退避位置へ移動できるようになっている。
【００１９】
前記左右一対のガイド部材３，４のうちの一方のガイド部材３は、図４（ａ），（ｂ），（ｃ）及び図５（ａ），（ｂ）に示すように、搬送される枚葉紙２の左右幅方向一端に当接して枚葉紙搬送方向終端側ほど他方のガイド部材側に位置する傾斜面１３と、この傾斜面１３の終端に上下軸芯Ｘ周りで回転可能な円柱状の回転体（ここではベアリング）１４からなる位置決め部材とを備え、他方のガイド部材４は、搬送される枚葉紙２の左右方向他端に当接して前記回転体１４側へ弾性的に押圧するための弾性部材、つまり円弧状に回転体１４側へ突出した板バネ１５を備えている。従って、板バネ１５にて弾性的に押圧される枚葉紙２を回転体１４にて受止めることによって、枚葉紙２の左右方向での位置を揃えるのである。前記回転体１４に当接して枚葉紙２が搬送されることにより、回転体１４が回転することで回転体１４との接触抵抗を小さくするようにしている。前記回転体１４としては、ベアリングが好ましいが、その他の回転体であってもよい。又、前記板バネ１５から弾性部材を構成することによって、部品点数を最小限に抑えることができる利点があるが、例えば押圧板とこの押圧板を移動付勢するコイルバネとから弾性部材を構成することもでき、弾性部材としての具体的構成は自由に変更可能である。
【００２０】
前記一方のガイド部材３について詳述すれば、該ガイド部材３に備えられた傾斜面１３の上下端に、前記他方のガイド部材４側へ延出され、枚葉紙２の上下方向の位置規制を行う上下規制部１６，１７を備え、前記上側規制部１６の左右幅寸法Ｗ１を前記下側規制部１７の左右幅寸法Ｗ２よりも小さく設定して、上方からガイド部材３を通過している枚葉紙２の左右方向一端が見え易くなり、搬送位置調整も容易に行えるようにしているが、同一の左右幅寸法であってもよい。
【００２１】
前記上下規制部１６，１７は、前記回転体１４の配設位置まで延出され、前記下側規制部１７の上面に形成される下側規制面１７Ａに対して前記回転体１４の下端面１４Ｂが下方に位置するように該下側規制部１７及び該回転体１４を備えさせてあり、前記下側規制部１７と回転体１４の下端面１４Ｂとの間に枚葉紙２の一端が入り込むことがないようにしている。詳述すれば、搬送方向に長い板材の左右方向中央に搬送方向全域に渡る溝部（凹部）１７Ｂを形成し、その溝部１７Ｂの左右方向外側（他方のガイド部材４から離間する側）に寄せて前記回転体１４を軸支し、ガイド部材３の左右方向他方のガイド部材４側端に搬送方向全域に渡って上方に突出する前記下側規制面１７Ａを形成している。従って、ガイド部材下側規制面１７Ａを乗り越えてこの規制面１７Ａよりも下方に位置し、かつ、他方のガイド部材４から離間する位置にある溝部１７Ｂ上面と回転体１４の下端面１４Ｂとの間に枚葉紙２の一端が入り込むことを確実に回避することができるようにしている。
【００２２】
前記回転体１４の上方位置まで延出された前記上側規制部１６の下面に形成される上側規制面１６Ａに対して該回転体１４の上端面１４Ａが上方に位置するように該上側規制部１６及び該回転体１４を備えさせて、上側規制面１６Ａと回転体１４の上端面１４Ａとの間に枚葉紙２の一端が入り込むことがないようにしている。つまり、上側規制部１６の搬送方向終端部に前記回転体１４が入り込むための切欠き１６Ｋを形成して、切欠き１６Ｋ内に回転体１４の上端を一部入り込ませた状態で配置している。この場合、切欠き１６Ｋと回転体１４の上端の周面との間に隙間ができる限り小さくなるように考慮することが好ましい。
【００２３】
前記上側規制部１６の枚葉紙搬送方向始端部を前記下側規制部１７の枚葉紙搬送方向始端よりも枚葉紙搬送方向始端側へ延出し、その延出部１６Ｈに枚葉紙搬送方向始端側ほど上方に位置する傾斜面１６Ｇを備えさせて、枚葉紙の姿勢に左右されることなく、確実にガイド部材３に取り込むことができるようにしている。
【００２４】
前記下側規制部１７の枚葉紙搬送方向始端部１７Ｈに、それの始端側ほど下方に位置する傾斜面１７Ｇを備えさせて、枚葉紙の姿勢に左右されることなく、確実にガイド部材３に取り込むことができるようにしている。
【００２５】
前記ガイド部材３は、傾斜面１３が形成され、回転体１４が軸支された下側規制部１７と、上側規制部１６とが、上方に位置する左右方向に長いプレート１８の左右方向一端の下面に設けられたボルト１９，１９により固定され、そのプレート１８の左右方向他端が、搬送方向前後に配置される支持部材２０，２１にビス止されるほぼ直方体形状の固定部材２２に螺子軸２３を介して連結されている。前記残りのガイド部材４は、傾斜面１３を備えていない、つまり搬送方向に沿ったストレート面１７Ｓを備えた下側規制部１７が、上方に位置する左右方向に長いプレート１８の左右方向一端の下面にボルト１９，１９により固定され、そのプレート１８の左右方向他端が、搬送方向前後に配置される支持部材（図示せず）にビス止されるほぼ直方体形状の固定部材２２に螺子軸２３を介して連結されている。
【００２６】
次に、前記封筒からなる小さな寸法の枚葉紙２を位置決めしながら搬送する場合について説明する。前記左右一対のガイド部材３，４及び補助搬送手段６を取り付け、何枚かの枚葉紙２を搬送して左右一対のガイド部材３，４の左右方向での位置合わせを行う。ガイド部材３，４の位置合わせが完了した後は、枚葉紙２を順次、ゴムベルト１、補助搬送手段６を介して搬送して、左右一対のガイド部材３，４にて位置決めした状態で前当て５まで案内する。前記ガイド部材３，４に案内された枚葉紙２は、板バネ１５にて回転体１４側へ押圧され、回転体１４が枚葉紙２の移動に伴って回転しながら枚葉紙２を回転体１４の周面に押し付けた状態を維持し、枚葉紙２の左右方向での位置が揃えられ、この後、前当て５に当接して図１の状態で枚葉紙２が一旦停止する。この状態から、前述のようにグリッパにて掴まれて前当て５が退避位置に移動しながら給紙胴へ位置決めされた状態で枚葉紙２が受け渡されることになる。尚、前記小さな寸法の枚葉紙２の搬送が終了してから、大きなサイズの枚葉紙の搬送を行う場合には、前記左右一対のガイド部材３，４及び補助搬送手段６を取り外すことになる。前記前当て５に枚葉紙２が当接した時点で回転体１４と板バネ１５とで枚葉紙２の左右両端を位置決めしている部位が、枚葉紙２の搬送方向ほぼ中央となっているが、前当て５に枚葉紙２が当接した時点で回転体１４と板バネ１５とで枚葉紙２の左右両端を位置決めしている状態であれば、どの位置であってもよい。
【図面の簡単な説明】
【００２７】
【図１】給紙部に左右一対の搬送ガイドを取付けた状態を示す平面図である。
【図２】図１で示した補助搬送手段を省略した平面図である。
【図３】図１の縦断側面図である。
【図４】一方のガイド部材を示し、（ａ）はそれの平面図、（ｂ）はそれの背面図、（ｃ）はそれの正面図である。
【図５】一方のガイド部材を示し、（ａ）は左側面図、（ｂ）はそれの右側面図である。
【符号の説明】
【００２８】
１…ゴムベルト、２…枚葉紙、３，４…ガイド部材、５…前当て、６…補助搬送手段、７，８…駆動回転体、９…口板、１０…プレート、１１…板材、１２…軸、１３…傾斜面、１４…回転体、１４Ａ…上端面、１４Ｂ…下端面、１５…板バネ（弾性部材）、１６，１７…上下規制部、１６Ａ…上側規制面、１６Ｇ…傾斜面、１６Ｈ…延出部、１７Ａ…下側規制面、１７Ｂ…上面（溝部）、１７Ｇ…傾斜面、１７Ｈ…枚葉紙搬送方向始端部、１７Ｓ…ストレート面、１８…プレート、１９…ボルト、２０，２１…支持部材、２２…固定部材、２３…螺子軸、Ｆ…フィーダーボード、Ｗ１，Ｗ２…左右幅寸法、Ｘ…上下軸芯
【図１】
2008207344.tif 000003
【図２】
2008207344.tif 000004
【図３】
2008207344.tif 000005
【図４】
2008207344.tif 000006
【図５】
2008207344.tif 000007